(57)【要約】      （修正有）【課題】眼鏡の取付、取り外しが便利であるサングラス補助構造の提供。【解決手段】本考案は、一種のサングラス補助構造に関わる。サングラス、２枚レンズ、ノーズフレームより構成する。ノーズフレームは少なくとも一つ以上の鉤状係止部を設け、鉤状係止部は通常眼鏡のノーズフレームを係止め、サングラスのノーズフレーム内側に弾性部材を設け、弾性部材の取り付け予定場所は係止め部材により、通常眼鏡のノーズフレーム下部両側を係止めて、サングラスを通常眼鏡に固定しておく、組み立て、取り外しが便利である。【選択図】図１
0003119546.tif 000002
【実用新案登録請求の範囲】
【請求項１】
サングラスに２枚レンズとノーズフレームを含む構造において、サングラスに四角い箱体を設け、四角い箱体は一つ以上の鉤状係止部を設けて、鉤状係止部は通常眼鏡のノーズフレームに係止め、四角い箱体内部に一つ以上の弾性部材を組み込み、弾性部材の予定場所に一つ以上の係止め部材を設け、この係止め部材を通常眼鏡ノーズフレーム下端両側またはフレームレス眼鏡のレンズに係止めておき、サングラスを通常眼鏡へ安定に固定でき、組み立て、取り外しが簡単であることを特徴とするサングラス補助構造。
【請求項２】
請求項１記載のサングラス補助構造において、サングラスの四角い箱体は、ノーズフレームであり、この箱体は係止め部材を通すため、二つの活動孔を設け、二つの活動孔は両側に設けて、係止め部材を屈折しながら突き出す構造であることを特徴とするサングラス補助構造。
【請求項３】
請求項１記載のサングラス補助構造において、弾性部材は鉤状係止部と一つ以上の係止め部材に連結し、鉤状係止部と係止め部材を通常眼鏡ノーズフレームの上端、下端に係止めておく、サングラスを通常眼鏡にしっかりと固定し、組み立て、取り外しが簡単であることを特徴とするサングラス補助構造。
【請求項４】
請求項１記載のサングラス補助構造において、四角い箱体の上方に鉤状係止部を設け、下方向に二つの係止め部材を通し、鉤状係止部および二つの係止め部材は、それぞれに弾性部材に連結し、鉤状係止部と係止め部材の弾力により、通常眼鏡のノーズフレーム上端、下端に係止めることを特徴とするサングラス補助構造。
【請求項５】
請求項１記載のサングラス補助構造において、四角い箱の両端にそれぞれ一つの耳掛けフレームを引き延ばして、この耳掛けフレームはレンズ上端に回転軸接続し、２枚レンズは耳掛けフレームにより、上方向に持ち上げられることを特徴とするサングラス補助構造。
【考案の詳細な説明】
【技術分野】
【０００１】
本考案はサングラス特にサングラス補助構造に関わるものである。
【背景技術】
【０００２】
周知のとおり、眼鏡は我が人類にとって、極めて大きい役割を果たしている。視力の改善、強い光線を遮って、紫外線を隔離するほか、顔部と輪郭を美しくすることができる。
【０００３】
しかしながら、近眼などの眼鏡がすでに着用し、室外で日差しが強いとき、サングラスに取り替えなければならない。また、そのサングラスは度数付きに限られるため、眼鏡着用する方々に多大な不便を来している。より高いお金を払って、度数付きのサングラスを購入した上、外出のときも随時に携帯必要のため、非常に不便である。よって、ある業者は通常眼鏡に取り付けられるサングラスを開発し、消費者に愛用され、コンパクトで、使用が便利のほか、あらたに眼鏡を購入必要がない。しかしながら、その補助構造のほとんどは、元の眼鏡フレームを修正必要があるため、不便を感じる。
【０００４】
通常眼鏡に取り付けるサングラスの多くは、眼鏡のノーズフレームに係止めている。しかし、係止めの不適切や、着用者のジャンプ、走行により、外れて落とすなどがしばしば引き起こすため、利用者に困惑させる。
【０００５】
その後、ある業者は磁石で、サングラスを通常眼鏡に吸着させる方式を開発している。しかし、ときどきにサングラスが落とすことが発生する。このため、磁石による吸着とはさみ方式を併用することにより、サングラスが落ちないよう、眼鏡に固定させる。
【０００６】
前記した様々な方式について、そのほとんどは体積が大きいや操作が難しい、またはサングラスは特定規格の眼鏡のみに取り付けできる。他規格の眼鏡との組み合わせ使用ができない。
【考案の開示】
【考案が解決しようとする課題】
【０００７】
本考案のサングラス補助構造は、主に磁石の負担をなくし、はさみ板機構を開けることなく、弾力による係止めで、頑丈でサングラスより外れにくい。眼鏡への取り付け、取り外しが簡単なサングラスの提供を主な目的とする。
【０００８】
本考案の次の目的は、随時に上方向に持ち上げや下ろすのできるサングラスを提供する。
【０００９】
本考案のサングラス補助構造は、サングラスに２枚レンズおよびノーズフレームより構成する。このノーズフレームに少なくとも一つ以上の鉤状係止部を設け、鉤状係止部は通常眼鏡のノーズフレームに係止める。その特徴として、
サングラスのノーズフレーム内部に弾性部材を取り付け、この弾性部材の予定場所に弾性部材を組み入れる。弾性部材の予定場所は一つ以上の係止め部材を設けて、通常眼鏡のノーズフレーム下部両側またはフレームレス眼鏡のレンズに係止めておく、サングラスを通常眼鏡へ上部に固定させ、取り付け、取り外しが簡単である。
【課題を解決するための手段】
【００１０】
請求項１の考案は、サングラスに２枚レンズとノーズフレームを含む構造において、サングラスに四角い箱体を設け、四角い箱体は一つ以上の鉤状係止部を設けて、鉤状係止部は通常眼鏡のノーズフレームに係止め、四角い箱体内部に一つ以上の弾性部材を組み込み、弾性部材の予定場所に一つ以上の係止め部材を設け、この係止め部材を通常眼鏡ノーズフレーム下端両側またはフレームレス眼鏡のレンズに係止めておき、サングラスを通常眼鏡へ安定に固定でき、組み立て、取り外しが簡単であることを特徴とするサングラス補助構造としている。
請求項２の考案は、請求項１記載のサングラス補助構造において、サングラスの四角い箱体は、ノーズフレームであり、この箱体は係止め部材を通すため、二つの活動孔を設け、二つの活動孔は両側に設けて、係止め部材を屈折しながら突き出す構造であることを特徴とするサングラス補助構造としている。
請求項３の考案は、請求項１記載のサングラス補助構造において、弾性部材は鉤状係止部と一つ以上の係止め部材に連結し、鉤状係止部と係止め部材を通常眼鏡ノーズフレームの上端、下端に係止めておく、サングラスを通常眼鏡にしっかりと固定し、組み立て、取り外しが簡単であることを特徴とするサングラス補助構造としている。
請求項４の考案は、請求項１記載のサングラス補助構造において、四角い箱体の上方に鉤状係止部を設け、下方向に二つの係止め部材を通し、鉤状係止部および二つの係止め部材は、それぞれに弾性部材に連結し、鉤状係止部と係止め部材の弾力により、通常眼鏡のノーズフレーム上端、下端に係止めることを特徴とするサングラス補助構造としている。
請求項５の考案は、請求項１記載のサングラス補助構造において、四角い箱の両端にそれぞれ一つの耳掛けフレームを引き延ばして、この耳掛けフレームはレンズ上端に回転軸接続し、２枚レンズは耳掛けフレームにより、上方向に持ち上げられることを特徴とするサングラス補助構造としている。
【考案の効果】
【００１１】
本考案のサングラス補助構造は、主に磁石の負担をなくし、はさみ板機構を開けることなく、弾力による係止めで、頑丈でサングラスより外れにくい。眼鏡への取り付け、取り外しが簡単なサングラスの提供を主な目的とする。
【考案を実施するための最良の形態】
【００１２】
本考案のサングラス補助構造の実施例１は図１から図５に示すとおり、サングラス１０に２枚レンズ１１、フレーム１２およびノーズフレーム１３(フレームレス・サングラスのとき、フレームを設けない)より構成する。ノーズフレーム１３は四角い箱体であり、ノーズフレーム１３上に鉤状係止部１４を設け、鉤状係止部１４は通常眼鏡２０のノーズフレーム２３を係止めておく、通常眼鏡２０にも２枚レンズ２１、フレーム２２およびノーズフレーム２３(フレームレス・サングラスのとき、フレームを設けない)を設け、サングラス１０のノーズフレーム１３は四角い箱体である。ノーズフレーム１３に二つの活動孔２３１を設け、係止め部材１３２をそれぞれに通しておく、ノーズフレーム１３内部に弾性部材１３３を取り付ける。弾性部材１３３の両側に係止め部材１３２をそれぞれ設け、係止め部材１３２は弾性部材１３３の働きにより、弾力を有する。係止め部材１３２は逆L字形で設け、弾性部材１３３はバネを設ける。
【００１３】
本考案のサングラス補助構造は、前記の組み合わせ構造により、サングラス１０を通常眼鏡２０に組み込むとき、サングラス１０の係止め部材１３２を通常眼鏡２０ノーズフレーム２３下部の片側へ斜めに係止めておく、係止め部材１３２は圧迫を受けて、もう一つの係止め部材１３２を通常眼鏡２０ノーズフレーム２３下部の片側に係止める。フレームレス眼鏡レンズのときは、二つの係止め部材１３２はそれぞれ通常眼鏡２０ノーズフレーム２３下部両側に係止める。このとき、サングラス１０の鉤状係止部１４は通常眼鏡２０のノーズフレーム２３に係止めておく、サングラス１０を通常眼鏡２０へ安定に固定する。
【００１４】
よって、本考案は三つの固定場所がある。一つ目は従来の鉤状係止部１４、二つ目は右側の係止め部材１３２、三つ目は左側の係止め部材１３２がある。組み立て、取り外しが簡単である。サングラス１０をその片側に移動して、係止め部材１３２を通常眼鏡２０のノーズフレーム２３下部の片側から抜けて、サングラス１０を斜めに取り出すことにより、もう一つの係止め部材１３２を通常眼鏡２０ノーズフレーム２３下部のもう一つ側および鉤状係止部１４より、通常眼鏡２０ノーズフレーム２３から取り出すことができる。このように、通常眼鏡２０からサングラス１０を取り出すことができる。通常眼鏡２０を先に取り出す必要がなく、サングラス１０を取り出す操作ができる。
【００１５】
通常眼鏡２０がフレームレス眼鏡のとき、フレームがないため、サングラス１０二つの係止め部材１３２は通常眼鏡２０の２枚レンズ２１内側に係止めておく、鉤状係止部１４は通常眼鏡２０ノーズフレーム２３係止めて、はさむ操作を完了する。
【００１６】
図６に示すものは、本考案実施例２である。サングラス１０二つの係止め部材１５は、円弧状に設け、係止めの面積を大きくして、他のスタイルの通常眼鏡２０にはさむ。他の部品は前記の実施例と同様に、ノーズフレーム１３、二つの活動孔１３１および弾性部材１３３より構成する。弾性部材１３３は係止め部材１５に弾力を提供し、通常眼鏡２０ノーズフレーム２３下部両側に係止めて、固定する。
【００１７】
本考案の係止め部材１３２、１５は、サングラス１０ノーズフレーム１３下部両側に設けるほか、ノーズフレーム１３の背面、底面、または天面に設けて、各種の通常眼鏡２０に合わせることができる。ただし、本考案の技術による等効果の変換は、なお本考案の範疇に含まれるものとする。
【００１８】
図７に示すものは、本考案実施例３である。サングラス３０に２枚レンズ３１、フレーム３２およびノーズフレーム３３より構成する。ノーズフレーム３３の上部に鉤状係止部３５、下部に二つの係止め部材３４を設け、係止め部材３４は鉤状係止体であり、ノーズフレーム8３は四角い箱体である。ノーズフレーム３8上部に鉤状係止部３５を通し、下部に二つの係止め部材３４を通す。鉤状係止部３５と二つの係止め部材３４は弾性部材３５１、３４１それぞれに係止めて、鉤状係止部３５と係止め部材３４は弾力により、通常眼鏡２０ノーズフレーム３３の上端、下端に係止める。この弾性部材３４１、３５１は引っ張り用のバネを使用し、サングラス３０を通常眼鏡２０へ安定に固定する。組み立て、取り外しが簡単である。
【００１９】
図８、９に示すものは、本考案実施例４である。ノーズフレーム４３に四角い箱体４６の代わりに、２枚レンズ４１上端にそれぞれ耳掛けフレーム４７と回転軸接続し、二つの耳掛けフレーム４７は四角い箱体４６に集中する。すなわち、四角い箱体４６の両端は、それぞれに耳掛けフレーム４７を設け、２枚レンズ４１は耳掛けフレーム４７により、上方向に持ち上げや下ろすができる。
【図面の簡単な説明】
【００２０】
【図１】本考案の立体分解図である。
【図２】本考案の鉤状係止部により、眼鏡のノーズフレームに係止めている断面図である。
【図３】本考案のサングラスのノーズフレームの断面図である。
【図４】本考案の組合せ断面図である。
【図５】本考案の組合せ立体図である。
【図６】本考案実施例２の組み合わせ断面図である。
【図７】本考案実施例３の断面図である。
【図８】本考案実施例４の立体分解図である。
【図９】本考案の実施例４の上方向に持ち上げた状態の断面図である。
【符号の説明】
【００２１】
１０  サングラス      １１  レンズ          １２  フレーム
１３  ノーズフレーム  １３１  自由孔        １３２  係止め部材
１３３  弾性部材      １４  鉤状係止部      １５  係止め部材
２０  通常眼鏡        ２１  レンズ          ２２  フレーム
２３  ノーズフレーム  ３０  サングラス      ３１  レンズ
３２  フレーム        ３３  ノーズフレーム  ３４  係止め部材
３４１  弾性部材      ３５  鉤状係止部      ３５１  弾性部材
４０  サングラス      ４１  レンズ          ４３  ノーズフレーム
４６  四角い箱体      ４７  耳掛けフレーム
【図１】
0003119546.tif 000003
【図２】
0003119546.tif 000004
【図３】
0003119546.tif 000005
【図４】
0003119546.tif 000006
【図５】
0003119546.tif 000007
【図６】
0003119546.tif 000008
【図７】
0003119546.tif 000009
【図８】
0003119546.tif 000010
【図９】
0003119546.tif 000011